(57)【要約】【課題】不足している構成要素としてのタブ紙を、排出された不要となったタブ紙を再利用して容易に補充することが可能な、画像形成装置、並びに画像形成装置を制御する制御プログラムおよび制御方法を提供する。【解決手段】画像形成装置としてのプリンタは、反転排出指定がなされている場合には、不要となったタブ紙を表裏反転させて排出する。【選択図】図２９
2008023833.tif 000002
【特許請求の範囲】
【請求項１】
画像形成装置であって、
タブ紙を供給するタブ紙供給部と、
不要となったタブ紙を表裏反転させて排出する反転排出指定がなされているか否かを判断する判断部と、
反転排出指定がなされている場合、不要となったタブ紙を表裏反転させて排出する制御を行う制御部と、
を有することを特徴とする画像形成装置。
【請求項２】
前記タブ紙供給部は、複数種類のタブ紙をそれぞれ供給する複数の給紙トレイを備え、
前記制御部はさらに、不要となったタブ紙をタブ紙の種類ごとに区別して排出することを特徴とする請求項１に記載の画像形成装置。
【請求項３】
画像形成装置を制御する制御プログラムであって、
タブ紙に関する設定の開始要求を受け付ける手順と、
不要となったタブ紙を表裏反転させて排出する反転排出指定を行うための反転設定部をユーザに提供する手順と、
をコンピュータに実行させる制御プログラム。
【請求項４】
請求項３に記載の制御プログラムを記録したコンピュータ読み取り可能な記録媒体。
【請求項５】
画像形成装置を制御する制御方法であって、
タブ紙に関する設定の開始要求を受け付けるステップと、
不要となったタブ紙を表裏反転させて排出する反転排出指定を行うための反転設定部をユーザに提供するステップと、
を有することを特徴とする制御方法。
【発明の詳細な説明】
【技術分野】
【０００１】
本発明は、タブ紙の挿入機能を有する画像形成装置、並びに画像形成装置を制御する制御プログラムおよび制御方法に関する。
【背景技術】
【０００２】
平坦な矩形状の本体と、当該本体の一辺の所定位置に設けられる突出したタブとを備えたタブ紙をページ間に挿入しながら印刷物を作成することが可能な印刷装置が存在する（特許文献１参照）。
【０００３】
かかる印刷装置では、例えばタブの位置が順次ずれた５枚の構成要素としてのタブ紙からなる１セットのタブ紙が、複数セット分重ねられて給紙トレイにセットされる。そして、印刷ジョブで最初の３枚のタブ紙しか使用されなかった場合、残りの４枚目および５枚目の２枚のタブ紙は不要となり排出されなければならない。これは、例えば次の印刷ジョブの実行時に、１セット中の１枚目のタブ紙が最初に給紙される必要があるからである。
【０００４】
ところで、不要となったタブ紙は、排出された後に再利用されることが可能である。しかしながら、上述した例のように、排出された不要となったタブ紙は、必然的に、１セットの中の４枚目や５枚目等のタブが下方に位置する後半のタブ紙が多くなる。この結果、１セットの中の１枚目や２枚目等の前半のタブ紙が不足しがちとなり、使い勝手が悪いという問題があった。
【特許文献１】特開２００５−２７１２５９号公報
【発明の開示】
【発明が解決しようとする課題】
【０００５】
本発明は上記従来技術の有する問題点に鑑みてなされたものであり、本発明の目的は、不足している構成要素としてのタブ紙を、排出された不要となったタブ紙を再利用して容易に補充することが可能な、画像形成装置、並びに画像形成装置を制御する制御プログラムおよび制御方法を提供することにある。
【課題を解決するための手段】
【０００６】
本発明の上記目的は、下記の手段によって達成される。
【０００７】
（１）画像形成装置であって、タブ紙を供給するタブ紙供給部と、不要となったタブ紙を表裏反転させて排出する反転排出指定がなされているか否かを判断する判断部と、反転排出指定がなされている場合、不要となったタブ紙を表裏反転させて排出する制御を行う制御部と、を有することを特徴とする画像形成装置。
【０００８】
（２）前記タブ紙供給部は、複数種類のタブ紙をそれぞれ供給する複数の給紙トレイを備え、前記制御部はさらに、不要となったタブ紙をタブ紙の種類ごとに区別して排出することを特徴とする上記（１）に記載の画像形成装置。
【０００９】
（３）画像形成装置を制御する制御プログラムであって、タブ紙に関する設定の開始要求を受け付ける手順と、不要となったタブ紙を表裏反転させて排出する反転排出指定を行うための反転設定部をユーザに提供する手順と、をコンピュータに実行させる制御プログラム。
【００１０】
（４）上記（３）に記載の制御プログラムを記録したコンピュータ読み取り可能な記録媒体。
【００１１】
（５）画像形成装置を制御する制御方法であって、タブ紙に関する設定の開始要求を受け付けるステップと、不要となったタブ紙を表裏反転させて排出する反転排出指定を行うための反転設定部をユーザに提供するステップと、を有することを特徴とする制御方法。
【発明の効果】
【００１２】
本発明では、不要となったタブ紙は、ユーザの指定に応じて表裏反転させられる。これにより、不要となったタブ紙は、タブ位置が最初のタブ位置とは異なるタブ紙として、再利用可能となる。したがって、不足している構成要素としてのタブ紙を、一々手作業で裏返す必要無く、不要となったタブ紙を再利用して容易に補充することができる。
【発明を実施するための最良の形態】
【００１３】
以下、本発明の実施の形態を、図面を参照して詳細に説明する。
【００１４】
図１は、本発明の第１の実施形態にかかるネットワークシステムの全体構成を示すブロック図である。
【００１５】
本実施形態にかかるネットワークシステムは、文書の印刷の指示を行う印刷指示装置としてのＰＣ１と、ＰＣ１の印刷指示に基づいて印刷を行う印刷システム４とを備え、これらはネットワーク５により相互に通信可能に接続されている。なお、ＰＣ１と印刷システム４とは、ネットワーク５を介することなく直接機器間で接続（ローカル接続）されていてもよい。
【００１６】
印刷システム４は、互いにローカル接続されたプリンタコントローラ２と画像形成装置としてのプリンタ３とから成る。このローカル接続には、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（ブルートゥース）、ＩＥＥＥ８０２.１１、ＨｏｍｅＲＦ、ＩｒＤＡ等の無線通信インタフェース等の各種ローカル接続インタフェースが用いられる。ただし、プリンタコントローラ２とプリンタ３とは、ネットワーク５により接続されてもよい。
【００１７】
図２は、図１に示されるＰＣ１の構成を示すブロック図である。
【００１８】
ＰＣ１は、ＣＰＵ１１、ＲＯＭ１２、ＲＡＭ１３、ハードディスク１４、ディスプレイ１５、入力装置１６およびネットワークインタフェース１７を備えており、これらは信号をやり取りするためのバス１８を介して相互に接続されている。
【００１９】
ＣＰＵ１１は、プログラムにしたがって、上記各部の制御や各種の演算処理を行う。ＲＯＭ１２は、各種プログラムや各種データを格納する。ＲＡＭ１３は、作業領域として一時的にプログラムやデータを記憶する。ハードディスク１４は、オペレーティングシステムを含む各種プログラムや各種データを格納する。
【００２０】
ここで、ハードディスク１４には、文書ファイルを作成するためのアプリケーションと、文書ファイルを印刷システム４が解釈可能なページ記述言語（ＰＤＬ：Ｐａｇｅ  Ｄｅｓｃｒｉｐｔｉｏｎ  Ｌａｎｇｕａｇｅ）で記述されたＰＤＬデータに変換するためのプリンタドライバとがインストールされている。プリンタドライバは、アプリケーションを使用して作成した文書ファイルの印刷指示の他、印刷出力条件の設定やタブ紙に関する設定を行う機能を有する。プリンタドライバには、これらの設定を行うためのプログラムが含まれる。
【００２１】
ディスプレイ１５は、ＬＣＤ、ＣＲＴディスプレイ等であり、各種の情報の表示に使用される。入力装置１６は、マウス等のポインティングデバイスやキーボードを含み、各種情報の入力に使用される。
【００２２】
ネットワークインタフェース１７は、ネットワーク５を介して他の機器と通信するためのインタフェースであり、イーサネット（登録商標）、トークンリング、ＦＤＤＩ等の規格が用いられる。
【００２３】
図３は、図１に示される印刷システム４におけるプリンタコントローラ２の構成を示すブロック図である。
【００２４】
プリンタコントローラ２は、ＣＰＵ２１、ＲＯＭ２２、ＲＡＭ２３、ハードディスク２４、プリンタインターフェース２５、およびネットワークインタフェース２６を備えており、これらは信号をやり取りするためのバス２７を介して相互に接続されている。なお、プリンタコントローラ２の上記各部のうち、ＰＣ１の上記各部と同様の機能を有する部分については、説明の重複を避けるためその説明を省略する。
【００２５】
ＲＯＭ２２またはハードディスク２４には、ＰＣ１から受信したＰＤＬデータを翻訳しビットマップ形式の画像データであるビットマップデータに展開するためのラスタライズ処理のプログラム、および受信したＰＤＬデータの処理方法を解析するための画像データ処理のプログラムが格納されている。また、ハードディスク２４には、受信したＰＤＬデータおよびビットマップデータが保存され得る。
【００２６】
プリンタインターフェース２５は、ローカル接続されたプリンタ３と通信するためのインタフェースである。
【００２７】
図４は、図１に示される印刷システム４のプリンタ３の構成を示すブロック図である。プリンタ３は、ＣＰＵ３１、ＲＯＭ３２、ＲＡＭ３３、操作パネル部３４、印刷部３５、およびコントローラインターフェース３６を備えており、これらは信号をやり取りするためのバス３７を介して相互に接続されている。なお、プリンタ３の上記各部のうち、ＰＣ１の上記各部と同様の機能を有する部分については、説明の重複を避けるためその説明を省略する。
【００２８】
ＲＯＭ３２には、プリンタコントローラ２から受信したビットマップデータを含む印刷データに基づいて行われる印刷処理のプログラムが格納されている。
【００２９】
操作パネル部３４は、タッチパネル、テンキー、スタートボタン、ストップボタン等を備えており、各種情報の表示および各種指示の入力に使用される。
【００３０】
印刷部３５は、電子写真式プロセス等の周知の作像プロセスを用いて、プリンタコントローラ２から受信したビットマップデータが示す画像を用紙等の記録媒体に印刷する。コントローラインターフェース３６は、ローカル接続されたプリンタコントローラ２と通信するためのインタフェースである。
【００３１】
図５は、印刷部３５の構成を模式的に示す図である。
【００３２】
印刷部３５は、用紙等の記録媒体やタブ紙等の挿入紙を供給する給紙ユニット５０、記録媒体に画像を形成する画像形成ユニット４０、および用紙やタブ紙が排出される排紙ユニット６０を有している。また、印刷部３５は、用紙の表裏を反転させるための反転機構部７０を備えている。
【００３３】
印刷部３５の画像形成ユニット４０は、矢印方向に回転する感光体ドラム４１、帯電装置４２、露光装置４３、現像装置４４、中間転写ベルト４５、清掃装置４６、および定着装置４７を有している。感光体ドラム４１の表面が帯電装置４２により一様に帯電された後、露光装置４３よりレーザを照射することにより、感光体ドラム４１の表面に静電潜像が作成される。静電潜像は感光体ドラム４１の回転に伴い、トナーが感光体ドラム４１上の静電潜像に付着して静電潜像が顕像化される。現像装置４４は、シアン（Ｃ）、マゼンタ（Ｍ）、イエロー（Ｙ）、ブラック（Ｋ）の各色の現像ローラ４８を有しており、顕像化された各色のトナー画像は、転写部４９まで搬送されて順次中間転写ベルト４５上に転移されて重ね合わされ、重ね合わされたカラーの画像が、給紙ユニット５０から搬送されてきた用紙に転写される。用紙上のトナー画像は、定着装置４７で定着されて、排紙ユニット６０に排出される。
【００３４】
給紙ユニット５０は、複数の給紙トレイ５１〜５４を備えている。給紙トレイ５４は手差し給紙トレイである。一方、排紙ユニット６０は、複数の排紙トレイ６１〜６４を備えている。また、排紙ユニット６０は、排出位置をオフセットする、つまり排出位置を搬送方向に直交する方向にずらす機構を備えている（図２８参照）。排紙ユニット６０は、搬送されてきた用紙に対してパンチ穴開け処理、ステープル綴じ処理等のフィニッシング処理を施す後処理部を備えていてもよい。
【００３５】
図６は、本実施形態で使用されるタブ紙の例を示す図であり、（Ａ）は３タブのタブ紙５００、（Ｂ）は５タブのタブ紙６００を示す。タブ紙はインデックス紙とも呼ばれる。図６（Ａ）に示すように、タブ紙５００は、３枚の構成要素としてのタブ紙５１１〜５１３からなる１セットのタブ紙であり、３タブと称される。タブ紙５１１〜５１３は、それぞれ矩形状の本体と、当該本体の一辺の所定位置に設けられる突出したタブ５２１〜５２３とを備えている。また、図６（Ｂ）に示すように、タブ紙６００は、５枚の構成要素としてのタブ紙６１１〜６１５からなる１セットのタブ紙であり、５タブと称される。タブ紙６１１〜６１５は、それぞれ矩形状の本体と、当該本体の一辺の所定位置に設けられる突出したタブ６２１〜６２５とを備えている。
【００３６】
図６に示されるタブ紙の並び順は正順と呼ばれ、タブが本体の右側に位置されたときに上層のタブが下層のタブよりも図６の上側に位置するように並べられる。３タブのタブ紙５００の場合、タブ５２１〜５２３は、本体の一辺の上部から順に３段階にてそれぞれ下降した位置に設けられている。ここで、タブ５２１の位置は１／３、タブ５２２の位置は２／３、タブ５２２の位置は３／３と称される。また、５タブのタブ紙６００の場合、タブ６２１〜５２５は、本体の一辺の上部から順に５段階にてそれぞれ下降した位置に設けられている。ここで、タブ６２１の位置は１／５、タブ６２２の位置は２／５、タブ６２３の位置は３／５、タブ６２４の位置は４／５、タブ６２５の位置は５／５、と称される。タブ紙５００，６００は、通常複数セット分重ねられて所定の給紙トレイにセットされる。
【００３７】
次に、本実施形態におけるネットワークシステムの動作について説明する。
【００３８】
図７は、ＰＣ１における処理の手順を示すフローチャートである。なお、図７のフローチャートにより示されるアルゴリズムは、ＰＣ１のハードディスク１４等の記憶部にプログラムとして記憶されており、ＣＰＵ１１によって実行される。
【００３９】
前提として、ＰＣ１にて印刷しようとする文書ファイルが作成される。文書ファイルはＰＣ１にインストールされたアプリケーションにより作成される。
【００４０】
文書ファイルの印刷処理を行う際、ユーザの操作に基づいて、アプリケーションの印刷設定ダイアローグを介して、プリンタドライバが起動させられる（Ｓ１０１）。
【００４１】
続いて、プリンタドライバによって表示される印刷設定画面において、例えばタブ紙設定ボタン１０１をクリックすることによりタブ紙に関する設定の開始要求が受け付けられ、タブ紙設定画面がディスプレイ１５に表示される（Ｓ１０２）。
【００４２】
図８は、タブ紙設定画面１００の一例を示す図である。
【００４３】
タブ紙設定画面１００は、第１のタブ紙の挿入に関する設定を行うための第１タブ紙挿入設定部１１０、および第２のタブ紙の挿入に関する設定を行うための第２タブ紙挿入設定部１２０を有している。
【００４４】
第１タブ紙挿入設定部１１０は、タブ紙が挿入されるページを示す挿入ページ位置をユーザが指定可能な第１挿入ページ位置設定部１１１を含み、第２タブ紙挿入設定部は１２０、タブ紙が挿入されるページを示す挿入ページ位置をユーザが指定可能な第２挿入ページ位置設定部１２１を含んでいる。ここでは、ページとは、通常の印刷対象となる文書のページをいい、タブ紙を含まない概念である。本実施形態では、タブ紙は、設定された挿入ページ位置が示すページの前に挿入される。ただし、タブ紙は、設定された挿入ページ位置が示すページの後に挿入されるように設定されてもよい。
【００４５】
また、第１タブ紙挿入設定部１１０は、タブ紙の種類をユーザが選択可能な第１タブ紙種類設定部１１２を含み、第２タブ紙挿入設定部１２０は、タブ紙の種類をユーザが選択可能な第２タブ紙種類設定部１２２を含んでいる。第１タブ紙種類設定部１１２および第２タブ紙種類設定部１２２は、それぞれタブ紙の種類の複数の選択肢を表示する。タブ紙の種類としては、図６に示した３タブ、５タブに限定されるものではなく、例えば７タブ、１０タブ等のより多くの構成要素からなるタブ紙、あるいは色の異なるタブ紙などが含まれてもよい。
【００４６】
また、第１タブ紙挿入設定部１１０は、タブ紙におけるタブに印刷を施すか否かの設定を行うための第１タブ印刷設定部１１３を含み、第２タブ紙挿入設定部１２０は、タブ紙におけるタブに印刷を施すか否かの設定を行うための第２タブ印刷設定部１２３を含んでいる。ここでは、選択肢として「Ｐｒｉｎｔ」と「Ｂｌａｎｋ」との２つがあり、「Ｐｒｉｎｔ」を選択することによりタブに印刷を施す設定となり、「Ｐｒｉｎｔ」を選択することによりタブに印刷を施さない設定となる。
【００４７】
また、第１タブ紙挿入設定部１１０は、タブ紙の給紙トレイをユーザが選択可能な第１給紙トレイ設定部１１４を含み、第２タブ紙挿入設定部１２０は、タブ紙の給紙トレイをユーザが選択可能な第２給紙トレイ設定部１２４を含んでいる。第１給紙トレイ設定部１１４および第２給紙トレイ設定部１２４は、それぞれ給紙トレイの複数の選択肢を表示する。ここでは、「Ｔｒａｙ１」は給紙トレイ５１を示し、「Ｔｒａｙ２」は給紙トレイ５２を示している（図５参照）。
【００４８】
タブ紙設定画面１００はさらに、第１挿入ページ位置設定部１１１において設定された挿入ページ位置に対応するタブ紙の設定を行う第１タブ紙設定部１３０と、第２挿入ページ位置設定部１２１において設定された挿入ページ位置に対応するタブ紙の設定を行う第２タブ紙設定部１４０とを有している。
【００４９】
第１タブ紙設定部１３０は、設定の対象ページ位置をユーザが指定可能な第１対象ページ位置設定部１３１を含み、第２タブ紙設定部１４０は、設定の対象ページ位置をユーザが指定可能な第２対象ページ位置設定部１４１を含んでいる。ここで、第１対象ページ位置設定部１３１は、第１挿入ページ位置設定部１１１において設定された挿入ページ位置を選択可能に表示する。例えば図８の場合、第１対象ページ位置設定部１３１は、１、および１０ページの２つの選択肢を表示する。第２対象ページ位置設定部１４１は、第２挿入ページ位置設定部１２１において設定された挿入ページ位置を選択可能に表示する。例えば図８の場合、第２対象ページ位置設定部１４１は、２、４、６、１１、１２、および１４ページの６つの選択肢を表示する。
【００５０】
また、第１タブ紙設定部１３０は、第１挿入ページ位置設定部１１１において設定された挿入ページ位置に対応するタブ紙におけるタブの位置を指定するための第１タブ位置設定部１３２を含み、第２タブ紙設定部１４０は、第２挿入ページ位置設定部１２１において設定された挿入ページ位置に対応するタブ紙におけるタブの位置を指定するための第２タブ位置設定部１４２を含んでいる。
【００５１】
また、第１タブ紙設定部１３０は、第１挿入ページ位置設定部１１１において設定された挿入ページ位置に対応するタブ紙のタブに印刷する情報を指定するための第１タブ印刷情報設定部１３３を含み、第２タブ紙設定部１４０は、第１挿入ページ位置設定部１２１において設定された挿入ページ位置に対応するタブ紙のタブに印刷する情報を指定するための第２タブ印刷情報設定部１４３を含んでいる。
【００５２】
タブ紙設定画面１００はさらに、不要となったタブ紙をタブ紙の種類ごとに区別して排出する設定を行うためのタブ紙排出設定部１５０を有している。例えば、５タブのタブ紙６００のうち構成要素としてのタブ紙６２１、６２２、および６２３のみが印刷ジョブの中で使用された場合、例えば次の印刷ジョブの実行時などの所定時には、再度タブ紙６２１から順に使用されなければならないため、構成要素としてのタブ紙６２４および６２５は不要となる。
【００５３】
タブ紙排出設定部１５０は、不要となったタブ紙をタブ紙の種類ごとに異なる排紙トレイに排出する設定を行うための分離排出設定部１５１と、不要となったタブ紙をタブ紙の種類の変わり目に仕分け用の用紙を間に挟んで排出する設定を行うための仕分け用紙挿入設定部１５２と、不要となったタブ紙をタブ紙の種類ごとに排出位置をオフセットさせて排出する設定を行うためのオフセット設定部１５３とを含んでいる。設定部１５１〜１５３の中のいずれか１つがユーザにより選択可能とされている。ここで、設定部１５１〜１５３はラジオボタンである。
【００５４】
分離排出設定部１５１は、不要となった第１のタブ紙の排出先である排紙トレイをユーザが選択可能な第１排紙トレイ設定部１６１と、不要となった第２のタブ紙の排出先である排紙トレイをユーザが選択可能な第２排紙トレイ設定部１６２とを含んでいる。ここでは、「Ｏｕｔｐｕｔ１」は排紙トレイ６１を示し、「Ｏｕｔｐｕｔ２」は排紙トレイ６２を示している（図５参照）。また、仕分け用紙挿入設定部１５２は、仕分け用の用紙の給紙トレイをユーザが選択可能な給紙トレイ設定部１６３を含んでいる。ここでは、「Ｔｒａｙ３」は給紙トレイ５３を示している（図５参照）。
【００５５】
また、タブ紙排出設定部１５０は、不要となったタブ紙を表裏反転させて排出する反転排出指定を行うための反転設定部１５４を含んでいる。ここで、反転設定部１５４はチェックボックスである。チェックボックスがチェックされると表裏反転機能が設定される。
【００５６】
図７のフローチャートに戻って、ステップＳ１０３では、タブ紙の種類の指定が受け付けられる。すなわち、ユーザは、第１のタブ紙の種類を第１タブ紙種類設定部１１２において指定し、第２のタブ紙の種類を第２タブ紙種類設定部１２２において指定する。
【００５７】
ここで、第１タブ紙種類設定部１１２において選択されたタブ紙の種類と、第２タブ紙種類設定部１２２において選択されたタブ紙の種類とが同一である場合、ユーザに対して警告が行われる。第１タブ紙種類設定部１１２および第２タブ紙種類設定部１２２の両方が使用される場合、異なる種類のタブ紙が使用されることが多いことが想定されるためである。図９は、警告画面２００の一例を示す。
【００５８】
ただし、第１タブ紙種類設定部１１２において選択されたタブ紙の種類と、第２タブ紙種類設定部１２２において選択されたタブ紙の種類とが同一となる設定が禁止されるように構成されることもできる（図１０参照）。この場合、例えば図１１に示すように、第１タブ紙種類設定部１１２において選択されたタブ紙の種類の選択肢は、第２タブ紙種類設定部１２２において表示されないように制御されてもよい。なお、図１０および図１１では、タブ紙排出設定部１５０の記載が省略されている（以降のタブ紙設定画面の図でも同様）。
【００５９】
あるいは、図１２に示すように、第１タブ紙種類設定部１１２において選択されたタブ紙の種類の選択肢は、第２タブ紙種類設定部１２２における表示の優先順位が下位とされるように構成されることもできる。これにより、ユーザが第１のタブ紙の種類と第２のタブ紙の種類とを同一に指定してしまうことに注意が促される。
【００６０】
ステップＳ１０４では、タブ紙が挿入されるページの指定が受け付けられる。すなわち、ユーザは、第１のタブ紙を挿入したいページを第１挿入ページ位置設定部１１１に入力し、第２のタブ紙を挿入したいページを第２挿入ページ位置設定部１２１に入力する。
【００６１】
ここで、第１挿入ページ位置設定部１１１において指定された挿入ページ位置と、第２挿入ページ位置設定部１２１において指定された挿入ページ位置とが同一である場合、ユーザに対して警告が行われる。第１挿入ページ位置設定部１１１および第２挿入ページ位置設定部１２１の両方が使用される場合、両設定部で異なるページが指定されることが多いためである。図１３は、警告画面２１０の一例を示す。
【００６２】
ただし、第１挿入ページ位置設定部１１１において指定された挿入ページ位置と、第２挿入ページ位置設定部１２１において指定された挿入ページ位置とが同一となる設定が禁止されるように構成されることもできる。この場合、例えば図１４の警告画面２２０に示すように、同じ挿入ページ位置となっている指定のいずれかを修正することをユーザに促すメッセージが警告画面２２０に表示される。
【００６３】
また、第１挿入ページ位置設定部１１１において設定された挿入ページ位置に応じて、第２挿入ページ位置設定部１２１において指定可能な挿入ページ位置の範囲が限定されるように構成されてもよい。例えば、第２挿入ページ位置設定部１２１において指定可能な挿入ページ位置の範囲は、第１挿入ページ位置設定部１１１において設定された挿入ページ位置以外の挿入ページ位置とされ得る。あるいは、第２挿入ページ位置設定部１２１において指定可能な挿入ページ位置の範囲は、第１挿入ページ位置設定部１１１において設定された最終の挿入ページ位置よりも後方の挿入ページ位置とされ得る。
【００６４】
ステップＳ１０５では、タブ紙を給紙するのに使用される給紙トレイの指定が受け付けられる。すなわち、ユーザは、第１のタブ紙の給紙トレイを第１給紙トレイ設定部１１４において指定し、第２のタブ紙の給紙トレイを第２給紙トレイ設定部１２４において指定する。
【００６５】
ここで、第１給紙トレイ設定部１１４において選択された給紙トレイと、第２給紙トレイ設定部１２４において選択された給紙トレイとが同一である場合、ユーザに対して警告が行われる。第１給紙トレイ設定部１１４および第２給紙トレイ設定部１２４の両方が使用される場合、両設定部で異なる給紙トレイが指定されることが多いためである。図１５は、警告画面２３０の一例を示す。
【００６６】
ただし、第１給紙トレイ設定部１１４において選択された給紙トレイと、第２給紙トレイ設定部１２４において選択された給紙トレイとが同一となる設定が禁止されるように構成されることもできる（図１６参照）。この場合、例えば図１７に示すように、第１給紙トレイ設定部１１４において選択された給紙トレイの選択肢は、第２給紙トレイ設定部１２４において表示されないように制御されてもよい。
【００６７】
あるいは、図１８に示すように、第１給紙トレイ設定部１１４において選択された給紙トレイの選択肢は、第２給紙トレイ設定部１２４における表示の優先順位が下位とされるように構成されることもできる。これにより、ユーザが第１のタブ紙の給紙トレイと第２のタブ紙の給紙トレイとを同一に指定することに注意が促される。
【００６８】
なお、第１タブ紙種類設定部１１２において設定されたタブ紙の種類と、第２タブ紙種類設定部１２２において設定されたタブ紙の種類とが同一である場合に、第１給紙トレイ設定部１１４において選択される給紙トレイと、第２給紙トレイ設定部１２４において選択される給紙トレイとが同一となる設定が禁止されるように構成されてもよい（図１６および図１７参照）。この場合、ユーザは、２つの給紙トレイに同じ種類のタブ紙を収容して両方の給紙トレイを適宜使用する形態を採用することができ、不要となって排出されるタブ紙を少なくすることが可能となる。
【００６９】
ステップＳ１０６では、タブ紙への印字に関する指定が受け付けられる。
【００７０】
すなわち、まず、ユーザは、第１のタブ紙におけるタブに印刷を施すか否かを、第１タブ印刷設定部１１３において指定し、第２のタブ紙におけるタブに印刷を施すか否かを、第２タブ印刷設定部１２３において指定する。
【００７１】
続いて、ユーザは、第１挿入ページ位置設定部１１１において設定された挿入ページ位置に対応するタブ紙の設定を行う際の当該設定の対象ページ位置を、第１対象ページ位置設定部１３１において指定する。また、ユーザは、タブ紙におけるタブの位置を、第１タブ位置設定部１３２において指定する。さらに、ユーザは、タブ紙のタブに印刷する情報を、第１タブ印刷情報設定部１３３において指定する。このような第１タブ紙設定部１３０における指定と同様に、ユーザは、第２タブ紙設定部１４０における指定を行うことができる。
【００７２】
ここで、第１対象ページ位置設定部１３１は、第１挿入ページ位置設定部１１１において設定された挿入ページ位置を選択可能に表示し、第２対象ページ位置設定部１４１は、第２挿入ページ位置設定部１２１において設定された挿入ページ位置を選択可能に表示する。これにより、ユーザの作業性の向上および誤設定の防止を図ることができる。
【００７３】
また、第１挿入ページ位置設定部１１１において指定された挿入ページ位置と、第２挿入ページ位置設定部１２１において指定された挿入ページ位置とが同一である場合、両者のタブ紙のうちタブ紙におけるタブの位置が異なっているときには、タブ位置が上位であるタブ紙が前方位置に設定される。また、第１挿入ページ位置設定部１１１において指定された挿入ページ位置と、第２挿入ページ位置設定部１２１において指定された挿入ページ位置とが同一である場合、両者のタブ紙におけるタブの位置の指定が同じであるときには、両者のタブ紙におけるタブの位置が強制的に異ならせられる。また、第１挿入ページ位置設定部１１１において指定された挿入ページ位置と、第２挿入ページ位置設定部１２１において指定された挿入ページ位置とが同一である場合、両者のタブ紙におけるタブの大きさの指定が同じであるときには、両者のタブ紙におけるタブの大きさが強制的に異ならせられる。例えば両者のタブ紙がいずれも３タブであるときには一方が例えば５タブに変更される。この場合、両者のタブ紙のうちタブ紙におけるタブの大きさが小さい方のタブ紙が前方位置に設定される。いずれもタブをユーザに見易くさせることができる。
【００７４】
さらに、第１挿入ページ位置設定部１１１において指定された挿入ページ位置と、第２挿入ページ位置設定部１２１において指定された挿入ページ位置とが同一である場合、第１のタブ紙が章に対して使用されるタブ紙であって第２のタブ紙が節に対して使用されるタブ紙であるときには、第１のタブ紙が第２のタブ紙よりも前方位置に設定される。これにより、ユーザの意図に合致させることができる。
【００７５】
一方、第１タブ印刷情報設定部１３３において指定された情報と、第２タブ印刷情報設定部１４３において指定された情報とが同一である場合、ユーザに対して警告が行われる。第１タブ印刷情報設定部１３３および第２タブ印刷情報設定部１４３の両方が使用される場合、両設定部で異なる印刷情報が指定されることが多いためである。図１９は、警告画面２４０の一例を示す。
【００７６】
ただし、第１タブ印刷情報設定部１３３において指定された情報と、第２タブ印刷情報設定部１４３において指定された情報とが同一となる設定が禁止されるように構成されることもできる。この場合、例えば図２０の警告画面２５０に示すように、同じ印刷情報となっている指定のいずれかを修正することをユーザに促すメッセージが警告画面２５０に表示される。
【００７７】
また、図２１に示すように、第１タブ印刷情報設定部１３３において指定された情報に基づいて、第２タブ印刷情報設定部１４３には、第１タブ印刷情報設定部１３３において指定された情報の一部が自動的に入力されることが、ユーザの作業性が向上する観点から好ましい。より具体的には、第１タブ印刷情報設定部１３３において指定された情報と第２挿入ページ位置設定部１２１において設定された挿入ページ位置とに基づいて、第２タブ印刷情報設定部１４３には、第１タブ印刷情報設定部１３３において指定された情報の一部が自動的に入力される。例えば第１のタブ紙が章に対して使用されるタブ紙であって第２のタブ紙が節に対して使用されるタブ紙である場合、節の番号に章の番号を加入させることが多いためである。なお、図２１の例では、第１タブ印刷情報設定部１３３において指定された情報である「１．Ｏｕｔｌｉｎｅ」のうち「１」のみが使用されて、最終的に第２タブ印刷情報設定部１４３において「１−１．」が印刷情報として指定されているが、例えば「１．Ｏｕｔｌｉｎｅ」全体が使用されて、最終的に第２タブ印刷情報設定部１４３において「１．Ｏｕｔｌｉｎｅ−１」が印刷情報として指定されてもよい。
【００７８】
ステップＳ１０７では、不要となったタブ紙の処理の指定が受け付けられる。
【００７９】
すなわち、ユーザは、分離排出設定部１５１、仕分け用紙挿入設定部１５２、およびオフセット設定部１５３の中のいずれか１つを選択する。また、ユーザは、分離排出設定部１５１を選択した場合、不要となった第１のタブ紙の排出先である排紙トレイを、第１紙排紙トレイ設定部１６１および第２紙排紙トレイ設定部１６２において指定する。あるいは、ユーザは、仕分け用紙挿入設定部１５２を選択した場合、仕分け用の用紙の給紙トレイを、給紙トレイ設定部１６３において指定する。
【００８０】
また、ユーザは、不要となったタブ紙を表裏反転させて排出する反転排出指定を、反転設定部１５４にチェックを入れることによって指定することができる。
【００８１】
なお、上記ステップＳ１０４〜Ｓ１０７の実行順序は任意に変更可能である。
【００８２】
ステップＳ１０８では、アプリケーションを使用して作成した文書ファイルが変換されることによってＰＤＬデータが作成される。
【００８３】
ここで、ＰＤＬデータには、上記ステップＳ１０４〜Ｓ１０７において得られたタブ紙に関する設定情報は、ＰＤＬデータ内にコマンドデータとして記述される。例えば「ＰＥＲＰＡＧＥＳＥＴ＝ＴＲＡＹ１……３ＴＡＢ，１，１０」というコマンドデータは、タブ紙の給紙元が「Ｔｒａｙ１」（図５の給紙トレイ５１）、タブ紙の種類が３タブ、タブ紙の挿入ページ位置が１および１０ページであることを示す。なお、他の設定情報もＰＤＬデータ内にコマンドデータとして記述される。
【００８４】
続いて、ステップＳ１０９では、作成されたＰＤＬデータは、ネットワーク５を経由して、印刷システム４のプリンタコントローラ２に送信される。
【００８５】
上述のように、第１のタブ紙の挿入に関する設定を行うための第１タブ紙挿入設定部１１０、および第２のタブ紙の挿入に関する設定を行うための第２タブ紙挿入設定部１２０の両方を有するタブ紙設定画面１００がユーザに提供される。
【００８６】
したがって、ユーザは、１つのタブ紙設定画面１００上で、第１のタブ紙の挿入に関する設定と第２のタブ紙の挿入に関する設定との双方を確認しながら、操作することができる。これにより、複数種類のタブ紙に関する設定を、ユーザの作業性を高めつつしかも誤り無く行うことが可能となる。
【００８７】
また、上述のように、複数種類のタブ紙に関する設定が行われる場合に、通常ユーザが指定する可能性が低い内容の設定が行われそうなときには、ユーザに対して警告が行われる。あるいは、タブ紙に関する設定についてのユーザに対する支援が実行される。
【００８８】
したがって、複数種類のタブ紙に関する設定を、ユーザの意図に沿って誤り無く行うことが可能となる。
【００８９】
次に、図２２を参照して、プリンタコントローラ２における処理について説明する。なお、図２２のフローチャートにより示されるアルゴリズムは、プリンタコントローラ２のハードディスク２４等の記憶部にプログラムとして記憶されており、ＣＰＵ２１によって実行される。
【００９０】
まず、プリンタコントローラ２は、ＰＣ１からＰＤＬデータを受信し（ステップＳ２０１）、ＰＤＬデータ内に記述されたコマンドデータが解析される（Ｓ２０２）。ここで、コマンドデータが解析されることにより、タブ紙に関する設定情報が認識される。
【００９１】
続いて、受信したＰＤＬデータに対してラスタライズ処理が施されて、ビットマップ形式の画像データであるビットマップデータが得られる（Ｓ２０３）。
【００９２】
そして、ステップＳ２０３で得られたビットマップデータに、タブ紙に関する設定情報を含むヘッダ情報が付加されて、印刷データが作成され（Ｓ２０４）、当該印刷データが印刷ジョブとしてプリンタ３に送信される。
【００９３】
次に、図２３〜２５を参照して、プリンタ３における処理について説明する。なお、図２３〜２５のフローチャートにより示されるアルゴリズムは、プリンタ３のＲＯＭ３２等の記憶部にプログラムとして記憶されており、ＣＰＵ３１によって実行される。
【００９４】
プリンタ３は、プリンタコントローラ２から印刷データを印刷ジョブとして受信する（ステップＳ３０１）。続いて、プリンタ３は印刷処理を実行する。
【００９５】
図２４に示すように、印刷処理が開始されると、まず、ヘッダ情報のうちのジョブヘッダが解析される（Ｓ４０１）。
【００９６】
図２６は、ヘッダ情報の概念図である。ヘッダ情報３００は、印刷ジョブ全体に関係する付加情報であるジョブヘッダ３１０と、印刷ジョブ内の特定のページに関係する付加情報であるページヘッダ３２０とから構成されている。
【００９７】
例えば図２６のジョブヘッダ３１０は、以下の内容のタブ紙に関する設定情報を含んでいる。すなわち、第１のタブ紙の給紙元が「Ｔｒａｙ１」（図５の給紙トレイ５１）、第１のタブ紙の種類が３タブ、第１のタブ紙の挿入ページ位置が１および１０ページである。また、第２のタブ紙の給紙元が「Ｔｒａｙ２」（図５の給紙トレイ５２）、第２のタブ紙の種類が５タブ、第２のタブ紙の挿入ページ位置が２、４、６、１１、１２、および１４ページである。また、不要となった第１のタブ紙の排出先が「ＯｕｔｐｕｔＴｒａｙ１」（図５の排紙トレイ６１）であり、不要となった第２のタブ紙の排出先が「ＯｕｔｐｕｔＴｒａｙ２」（図５の排紙トレイ６２）である。また、不要となったタブ紙を表裏反転させて排出する反転排出指定がなされている。
【００９８】
また、図２６のページヘッダ３２０において、「Ｐ１」、「Ｐ２」…は、印刷されるページの番号を示し、「Ｔｒａｙ１」、「Ｔｒａｙ２」は、そのページ位置に挿入されるタブ紙の給紙トレイを示し、「ＪｏｂＴｒａｙ」は、そのページに挿入されるタブ紙は存在せず、そのページの印刷に使用される用紙は印刷ジョブで指定された給紙トレイから供給されることを示す。
【００９９】
なお、図２４および図２５のフローチャートにおいては、不要となったタブ紙の処理として、不要となったタブ紙をタブ紙の種類ごとに異なる排紙トレイに排出する処理が設定されている場合について説明する。
【０１００】
ステップＳ４０２では、不要となったタブ紙の排出先として排紙トレイが指定されているか否かが判断される。
【０１０１】
不要となったタブ紙の排出先として排紙トレイが指定されている場合（Ｓ４０２：ＹＥＳ）、指定された排紙トレイが、不要タブ紙用排紙トレイとしてＲＡＭ３３等のメモリに保存される（Ｓ４０３）。一方、不要となったタブ紙の排出先として排紙トレイが指定されていない場合（Ｓ４０２：ＮＯ）、通常に印刷されたページの排紙トレイとは別の排紙トレイが、不要タブ紙用排紙トレイとしてメモリに保存される（Ｓ４０４）。
【０１０２】
続いて、ページヘッダ３２０の解析が行われる（Ｓ４０５）。ここで、ページヘッダ３２０の解析は、印刷ジョブ中の記述にしたがって各処理ごとに順番に行われる。タブ紙についての処理と、印刷ジョブ中の通常のページについての処理とは個々に実行される。
【０１０３】
ページヘッダ３２０の解析の結果、タブ紙の挿入要求が存在するか否かが判断される（Ｓ４０６）。
【０１０４】
タブ紙の挿入要求が存在しない場合（Ｓ４０６：ＮＯ）、通常の印刷、すなわち１ページ分の印刷が実行され（Ｓ４０７）、ステップＳ４１６に進む。
【０１０５】
一方、タブ紙の挿入要求が存在する場合（Ｓ４０６：ＹＥＳ）、そのタブ紙の挿入要求は初回のものか否かが判断される（Ｓ４０８）。
【０１０６】
初回のタブ紙の挿入要求であると判断された場合（Ｓ４０８：ＹＥＳ）、初回のタブ紙の挿入要求で指定されたタブ紙の給紙トレイ（以下、初回のタブ紙の給紙トレイという）がメモリに保存される。また、初回のタブ紙の給紙トレイが、現在処理中の給紙トレイとしてメモリに保存される。
【０１０７】
一方、初回のタブ紙の挿入要求ではないと判断された場合（Ｓ４０８：ＮＯ）、ステップＳ４１０に進む。
【０１０８】
ステップＳ４１０では、ページヘッダ３２０で指定されたタブ紙の給紙トレイが、メモリに記憶されている現在処理中の給紙トレイと同じか否かが判断される。すなわち、使用されるタブ紙の給紙トレイが変化したか否かが判断される。
【０１０９】
そして、ページヘッダ３２０で指定されたタブ紙の給紙トレイが、メモリに記憶されている現在処理中の給紙トレイと同じであると判断された場合（Ｓ４１０：ＹＥＳ）、ステップＳ４１３に進む。
【０１１０】
ステップＳ４１３では、ページヘッダ３２０で指定されたタブ紙の給紙トレイが、現在処理中の給紙トレイとしてメモリに保存される。
【０１１１】
続いて、現在処理中の給紙トレイについて、タブ紙の給紙回数が１だけインクリメントされる（Ｓ４１４）。ここで、タブ紙の給紙回数（初期値＝０）は、タブ紙の給紙トレイごとにカウントされて、タブ紙の給紙トレイごとにメモリに保存される。
【０１１２】
続いて、タブ紙の挿入処理が行われる（Ｓ４１５）。すなわち、メモリに記憶されている現在処理中の給紙トレイから、タブ紙が供給されて所定のページ位置に挿入される。
【０１１３】
ステップＳ４１６では、印刷データにおけるジョブエンドが検出されたか否かが判断される（Ｓ４１６）すなわち、印刷データについてのすべての処理が終了したか否かが判断される。
【０１１４】
ジョブエンドが検出されなかった場合（Ｓ４１６：ＮＯ）、ステップＳ４０５に戻って、次の処理が行われる。
【０１１５】
一方、ステップＳ４１０においてページヘッダ３２０で指定されたタブ紙の給紙トレイが、メモリに記憶されている現在処理中の給紙トレイと異なると判断された場合（Ｓ４１０：ＮＯ）、そのページヘッダ３２０で指定されたタブ紙の給紙トレイが、メモリに記憶されている初回のタブ紙の給紙トレイと同じか否かが判断される（Ｓ４１１）。すなわち、使用されるタブ紙の給紙トレイが、別のタブ紙の給紙トレイから初回のタブ紙の給紙トレイに戻ったか、あるいは、初回のタブ紙の給紙トレイから別のタブ紙の給紙トレイに変化したか、のいずれであるかが判断される。
【０１１６】
使用されるタブ紙の給紙トレイが、初回のタブ紙の給紙トレイから別のタブ紙の給紙トレイに変化したと判断された場合（Ｓ４１１：ＮＯ、図２６のＴ１）、ステップＳ４１３に進む。例えば、初回に挿入される第１のタブ紙が３タブで第２のタブ紙が５タブである場合であって、最初に３タブが挿入され、その後に５タブの挿入要求があったときが該当する。この場合、ステップＳ４１３では、切り替わった後の給紙トレイが、現在処理中の給紙トレイとしてメモリに保存されることになる。
【０１１７】
一方、使用されるタブ紙の給紙トレイが、別のタブ紙の給紙トレイから初回のタブ紙の給紙トレイに戻ったと判断された場合（Ｓ４１１：ＹＥＳ、図２６のＴ２）、ステップＳ４１２に進む。
【０１１８】
ステップＳ４１２では、現在処理中の給紙トレイから、あらかじめ記憶されている不要タブ紙用排紙トレイへ、不要となったタブ紙が排出される。そして、セット単位のタブ紙の排出が完了しため、現在処理中の給紙トレイについて、メモリに記憶されているタブ紙の給紙回数が「０」にリセットされる。続いて、ステップＳ４１３では、切り替わった後の給紙トレイが、現在処理中の給紙トレイとしてメモリに保存されることになる。
【０１１９】
ステップＳ４１２は、例えば、最初に３タブが挿入された後、５タブが挿入され、その後に再び３タブの挿入要求があったときに実行される。この場合、次に再び５タブの挿入要求があったときには、タブ位置が１／５のタブ紙がまず使用されなければならないからである。
【０１２０】
上述のように、印刷ジョブにおける単一部数の印刷中であっても、不要となったタブ紙が排出される。したがって、複数種類のタブ紙が使用される場合であっても、不要となったタブ紙を適切に排出することが可能となる。
【０１２１】
一般に、給紙回数をＮ、タブ紙１セットの構成要素の枚数をＳとしたとき、Ｄ＝Ｓ−（Ｎ／Ｓの余り）で表される排出回数（ただしＤ＝Ｓの場合はＤ＝０とする）分だけ、現在処理中の給紙トレイから不要タブ紙用排紙トレイへタブ紙が排出される。例えば５タブのタブ紙の給紙トレイから７回給紙された場合、Ｎ＝７、Ｓ＝５であり、７を５で割った余りは２となるので、Ｄ＝５−２＝３と算出される。
【０１２２】
上述のように、供給されたタブ紙の枚数が給紙トレイごとにカウントされ、カウントされた供給枚数に応じて不要となったタブ紙の枚数が算出され、算出された枚数分だけ当該不要となったタブ紙が排出される。したがって、複数種類のタブ紙が使用される場合であっても、不要となったタブ紙の正確な枚数をタブ紙の種類ごとに簡単に算出でき、不要となったタブ紙を確実に排出することが可能となる。
【０１２３】
一方、ステップＳ４１６においてジョブエンドが検出された場合（Ｓ４１６：ＹＥＳ、図２６のＴ３）、全てのタブ紙の給紙トレイから、あらかじめ記憶されているそれぞれの不要タブ紙用排紙トレイへ、不要となったタブ紙が排出される（Ｓ４１７）。例えば図２６のジョブヘッダ３１０によれば、第１のタブ紙である３タブのタブ紙５００は「Ｏｕｔｐｕｔ１」（排紙トレイ６１）へ排出され、第２のタブ紙である５タブのタブ紙６００は「Ｏｕｔｐｕｔ２」（排紙トレイ６２）へ排出される。ここで、不要となったタブ紙の排出回数Ｄは、前述したとおりである。また、セット単位のタブ紙の排出が完了したため、全てのタブ紙の給紙トレイについて、メモリに記憶されているタブ紙の給紙回数が「０」にリセットされる。
【０１２４】
なお、図２４および図２５のフローチャートにおいては、タブ紙が供給される給紙トレイの変化に応じた不要タブ紙の排出制御が記述されているが、供給されるタブ紙の種類の変化に応じた不要タブ紙の排出制御が同様に行われ得る。この場合、例えば、供給されたタブ紙の枚数がタブ紙の種類ごとにカウントされる。
【０１２５】
上述のように、本実施形態では、不要となったタブ紙を、タブ紙の種類ごとに異なる排紙トレイに排出することによって、タブ紙の種類ごとに区別して排出する制御が行われる。これにより、複数種類のタブ紙が使用される場合であっても、不要となったタブ紙の再利用時には、タブ紙の種類ごとの仕分け作業をきわめて簡便に行うことができる。
【０１２６】
あるいは、不要となったタブ紙を、タブ紙の種類の変わり目に仕分け用の用紙を間に挟んで排出することによって、タブ紙の種類ごとに区別して排出する制御が行われてもよい。この場合、ジョブヘッダ３１０には、図２６の不要となったタブ紙の排出先を指定する記述の代わりに、仕分け用の用紙の給紙トレイを指定する記述が入れられる。例えば「ＳｅｐａｒａｔｉｏｎＳｈｅｅｔ＝Ｔｒａｙ３」の記述は、不要となったタブ紙の仕分け用の用紙の給紙トレイが「Ｔｒａｙ３」（給紙トレイ５３）であることを示す。プリンタ３は、ジョブヘッダ３１０中において仕分け用の用紙の給紙トレイを指定する記述を認識すると、図２４および図２５に示す処理と同様の処理を実行し、不要となったタブ紙の排出時（ステップＳ４１２およびＳ４１７）には、図２７に示すように、不要となったタブ紙５００，６００を、タブ紙の種類の変わり目に仕分け用の用紙７００を間に挟んで排出する。これによっても、不要となったタブ紙の再利用時には、タブ紙の種類ごとの仕分け作業をきわめて簡便に行うことができる。
【０１２７】
あるいは、不要となったタブ紙を、タブ紙の種類ごとに排出位置をオフセットさせて排出することによって、タブ紙の種類ごとに区別して排出する制御が行われてもよい。この場合、ジョブヘッダ３１０には、図２６の不要となったタブ紙の排出先を指定する記述の代わりに、タブ紙の種類ごとに排出位置をオフセットさせる指定についての記述が入れられる。例えば「ＴａｂＯｆｆｓｅｔ＝Ｏｎ」の記述がジョブヘッダ３１０に入れられる。プリンタ３は、ジョブヘッダ３１０中においてタブ紙の種類ごとに排出位置をオフセットさせる指定についての記述を認識すると、図２４および図２５に示す処理と同様の処理を実行し、不要となったタブ紙の排出時（ステップＳ４１２およびＳ４１７）には、図２８に示すように、不要となったタブ紙５００，６００を、タブ紙の種類ごとに排出位置をオフセットさせて排出する。これによっても、不要となったタブ紙の再利用時には、タブ紙の種類ごとの仕分け作業をきわめて簡便に行うことができる。
【０１２８】
また、本実施形態では、プリンタ３は、ジョブヘッダ３１０中において不要となったタブ紙を表裏反転させて排出する反転排出指定についての記述（図２６の「ＴａｂＲｅｖｅｒｓｅ＝Ｏｎ」）を認識すると、不要となったタブ紙の排出時（ステップＳ４１２およびＳ４１７）には、図２９に示すように、不要となったタブ紙を、反転機構部７０を経由させることにより、表裏反転させて排出する。なお、両面印刷のための反転機構部を利用することによって、不要となったタブ紙が表裏反転させられてもよい。
【０１２９】
上述のように、不要となったタブ紙は、ユーザの指定に応じて表裏反転させられる。これにより、不要となったタブ紙は、タブ位置が最初のタブ位置とは異なるタブ紙として、再利用可能となる。したがって、不足している構成要素としてのタブ紙を、一々手作業で裏返す必要無く、不要となったタブ紙を再利用して容易に補充することができる。具体的には、例えばタブ位置が５／５であるタブ紙６２５は、表裏反転させられることにより、タブ位置が５／５とは異なる１／５であるタブ紙６２１として、再利用可能となる。
【０１３０】
次に、第２の実施形態について、第１の実施形態と相違する点を中心に説明する。
【０１３１】
図３０は、第２の実施形態におけるタブ紙設定画面１００ａの一例を示す図である。
【０１３２】
タブ紙設定画面１００ａは、文書中の章に対して使用される章用タブ紙の挿入に関する設定を行うための章用タブ紙挿入設定部１１０ａ、および文書中の節に対して使用される節用タブ紙の挿入に関する設定を行うための節用タブ紙挿入設定部１２０ａを有している。つまり、第１の実施形態における第１のタブ紙および第２のタブ紙が、第２の実施形態では、章用タブ紙および節用タブ紙として特定されている。
【０１３３】
タブ紙設定画面１００ａはさらに、設定された挿入ページ位置に対応する章用タブ紙の設定を行う章用タブ紙設定部１３０ａと、設定された挿入ページ位置に対応する節用タブ紙の設定を行う節用タブ紙設定部１４０ａとを有している。章用タブ紙設定部１３０ａは、章用タブ紙を挿入ページ位置が示すページの前または後のいずれに挿入するかをユーザが選択可能な章用タブ紙挿入位置設定部１３４を含んでいる。また、節用タブ紙設定部１４０ａは、節用タブ紙を挿入ページ位置が示すページの前または後のいずれに挿入するかをユーザが選択可能な節用タブ紙挿入位置設定部１４４を含んでいる。
【０１３４】
また、タブ紙設定画面１００ａは、章用タブ紙のタブおよび節用タブ紙のタブのプレビュー画像を、タブ紙の種類ごとに表示するタブプレビュー部１７０を有している。ここで、タブ紙のタブに印刷する情報が指定されている場合、タブのプレビュー画像には、指定された印刷情報が含まれる。これにより、ユーザは、タブ紙のタブをタブ紙の種類ごとに視覚的に確認することができるため、タブ紙の種類や、タブに印刷される情報を誤り無く指定することが可能となる。尚、図３０の例では、節用タブ紙挿入設定部１２０ａにおいて節用タブ紙を挿入するページとして２、８、１２、１５ページが指定されているが、タブ紙を使用しない旨の設定（「Ｕｓｅ  Ｔａｂ」において「Ｏｆｆ」）となっている。このため、節用にタブ紙挿入を行うことを前提とした各種設定項目に関してグレーアウト（図中では斜線網掛けで示す）により設定不可能とされている。
【０１３５】
本実施形態では、タブプレビュー部１７０は、章用タブ紙のタブのプレビュー画像を表示する章用タブプレビュー部１７１と、節用タブ紙のタブのプレビュー画像を表示する節用タブプレビュー部１７２とを含んでおり、章用タブプレビュー部１７１と節用タブプレビュー部１７２とは別々の領域に配置されている。
【０１３６】
好ましくは、表示されるプレビュー画像は、章用タブ紙および節用タブ紙のうちのユーザにより操作中のタブ紙のタブのプレビュー画像のみが表示されるように制御される。章用タブ紙および節用タブ紙のうちのユーザにより操作中でないタブ紙のタブのプレビュー画像が灰色で表示されてもよい。また、タブプレビュー部１７０は、章用タブ紙のタブまたは節用タブ紙のタブのいずれかのプレビュー画像を表示する１つの領域のみを有していてもよく、この場合、章用タブ紙および節用タブ紙のうちのユーザにより操作中のタブ紙のタブのプレビュー画像のみが表示される。
【０１３７】
また、タブ紙設定画面１００ａは、ページ単位設定リスト１８０を有している。ページ単位設定リスト１８０には、設定された内容が、ページ単位でリスト表示される。これにより、ユーザは、設定内容を容易に確認することができる。
【０１３８】
本実施形態によれば、第１の実施形態と同様の効果が得られることに加えて、ユーザは、文書ファイルが章および節で構成されている場合、章および節のそれぞれに対して異なる種類のタブ紙を容易に設定することができ、ユーザの利便性がさらに向上する。
【０１３９】
本発明は、上記した実施形態のみに限定されるものではなく、特許請求の範囲内において、種々改変することができる。
【０１４０】
たとえば、上記実施形態では、２種類のタブ紙が挿入される場合について説明したが、本発明は、３種類以上のタブ紙が挿入される場合にも適用可能である。
【０１４１】
また、上記実施形態では、タブ紙に関する設定についての処理がプリンタドライバによって行われる場合について説明したが、プリンタドライバではなくアプリケーションによって行われることもできる。
【０１４２】
また、上記実施形態では、タブ紙に関する設定が、ＰＣ１のディスプレイ１５上に表示されるタブ紙設定画面１００を用いて行われる場合について説明したが、プリンタ３の操作パネル部３４上に表示されるタブ紙設定画面を用いて行われることもできる。
【０１４３】
また、上記実施形態では、印刷システム４がプリンタコントローラ２とプリンタ３に分けられ、互いにローカル接続された構成の場合について述べたが、プリンタコントローラ２はプリンタ３の中に内包されていてもよい。
【０１４４】
また、上記実施形態では、画像形成装置としてプリンタが採用されているが、本発明はこれに限定されるものではない。本発明は、例えばＭＦＰ（Ｍｕｌｔｉ−Ｆｕｎｃｔｉｏｎ  Ｐｅｒｉｐｈｅｒａｌ）、複写機等の画像形成装置にも適用可能である。
【０１４５】
本実施形態のネットワークシステムにおける各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【図面の簡単な説明】
【０１４６】
【図１】本発明の第１の実施形態にかかるネットワークシステムの全体構成を示すブロック図である。
【図２】図１に示されるＰＣの構成を示すブロック図である。
【図３】図１に示される印刷システムのプリンタコントローラの構成を示すブロック図である。
【図４】図１に示される印刷システムのプリンタの構成を示すブロック図である。
【図５】印刷部の構成を模式的に示す図である。
【図６】本実施形態で使用されるタブ紙の例を示す図である。
【図７】ＰＣにおける処理の手順を示すフローチャートである。
【図８】第１の実施形態におけるタブ紙設定画面の一例を示す図である。
【図９】警告画面の一例を示す図である。
【図１０】操作中のタブ紙設定画面を示す図である。
【図１１】操作中のタブ紙設定画面を示す図である。
【図１２】操作中のタブ紙設定画面を示す図である。
【図１３】警告画面の一例を示す図である。
【図１４】警告画面の一例を示す図である。
【図１５】警告画面の一例を示す図である。
【図１６】操作中のタブ紙設定画面を示す図である。
【図１７】操作中のタブ紙設定画面を示す図である。
【図１８】操作中のタブ紙設定画面を示す図である。
【図１９】警告画面の一例を示す図である。
【図２０】警告画面の一例を示す図である。
【図２１】操作中のタブ紙設定画面を示す図である。
【図２２】プリンタコントローラにおける処理の手順を示すフローチャートである。
【図２３】プリンタにおける処理の手順を示すフローチャートである。
【図２４】印刷処理の手順を示すフローチャートである。
【図２５】図２４から続く、印刷処理の手順を示すフローチャートである。
【図２６】ヘッダ情報の概念図である。
【図２７】不要となったタブ紙の他の排出方法を説明するための図である。
【図２８】不要となったタブ紙のさらに他の排出方法を説明するための図である。
【図２９】不要となったタブ紙を表裏反転させて排出する方法を説明するための図である。
【図３０】第２の実施形態におけるタブ紙設定画面の一例を示す図である。
【符号の説明】
【０１４７】
１    ＰＣ、
２    プリンタコントローラ、
３    プリンタ、
４    印刷システム、
５    ネットワーク、
１１，２１，３１    ＣＰＵ、
１２，２２，３２    ＲＯＭ、
１３，２３，３３    ＲＡＭ、
１４，２４    ハードディスク、
１５    ディスプレイ、
１６    入力装置、
１７，２６    ネットワークインタフェース、
１８，２７，３７    バス、
２５    プリンタインターフェース、
３４    操作パネル部、
３５    印刷部、
３６    コントローラインターフェース、
４０    画像形成ユニット、
５０    給紙ユニット、
５１〜５４    給紙トレイ、
６０    排紙ユニット、
６１〜６４    排紙トレイ、
７０    反転機構部、
１００，１００ａ    タブ紙設定画面、
１０１    タブ紙設定ボタン、
１１０    第１タブ紙挿入設定部、
１１０ａ    章用タブ紙挿入設定部、
１１１    第１挿入ページ位置設定部、
１１２    第１タブ紙種類設定部、
１１３    第１タブ印刷設定部、
１１４    第１給紙トレイ設定部、
１２０    第２タブ紙挿入設定部、
１２０ａ    節用タブ紙挿入設定部、
１２１    第２挿入ページ位置設定部、
１２２    第２タブ紙種類設定部、
１２３    第２タブ印刷設定部、
１２４    第２給紙トレイ設定部、
１３０    第１タブ紙設定部、
１３０ａ    章用タブ紙設定部、
１３１    第１対象ページ位置設定部、
１３２    第１タブ位置設定部、
１３３    第１タブ印刷情報設定部、
１３４    章用タブ紙挿入位置設定部、
１４０    第２タブ紙設定部、
１４０ａ    節用タブ紙設定部、
１４１    第２対象ページ位置設定部、
１４２    第２タブ位置設定部、
１４３    第２タブ印刷情報設定部、
１４４    節用タブ紙挿入位置設定部、
１５０    タブ紙排出設定部、
１５１    分離排出設定部、
１５２    仕分け用紙挿入設定部、
１５３    オフセット設定部、
１５４    反転設定部、
１６１    第１排紙トレイ設定部、
１６２    第２排紙トレイ設定部、
１６３    給紙トレイ設定部、
１７０    タブプレビュー部、
１７１    章用タブプレビュー部、
１７２    節用タブプレビュー部、
１８０    ページ単位設定リスト、
２００，２１０，２２０，２３０，２４０，２５０    警告画面、
３００    ヘッダ情報、
３１０    ジョブヘッダ、
３２０    ページヘッダ、
５００，６００    タブ紙、
５１１〜５１３，６１１〜６１５    タブ紙（構成要素）、
５２１〜５２３，６２１〜６２５    タブ。
【図１】
2008023833.tif 000003
【図２】
2008023833.tif 000004
【図３】
2008023833.tif 000005
【図４】
2008023833.tif 000006
【図５】
2008023833.tif 000007
【図６】
2008023833.tif 000008
【図７】
2008023833.tif 000009
【図８】
2008023833.tif 000010
【図９】
2008023833.tif 000011
【図１０】
2008023833.tif 000012
【図１１】
2008023833.tif 000013
【図１２】
2008023833.tif 000014
【図１３】
2008023833.tif 000015
【図１４】
2008023833.tif 000016
【図１５】
2008023833.tif 000017
【図１６】
2008023833.tif 000018
【図１７】
2008023833.tif 000019
【図１８】
2008023833.tif 000020
【図１９】
2008023833.tif 000021
【図２０】
2008023833.tif 000022
【図２１】
2008023833.tif 000023
【図２２】
2008023833.tif 000024
【図２３】
2008023833.tif 000025
【図２４】
2008023833.tif 000026
【図２５】
2008023833.tif 000027
【図２６】
2008023833.tif 000028
【図２７】
2008023833.tif 000029
【図２８】
2008023833.tif 000030
【図２９】
2008023833.tif 000031
【図３０】
2008023833.tif 000032